(57)【特許請求の範囲】
【請求項１】
被検眼を検査する第１検査手段を有する第１眼科装置と、前記被検眼を検査する第２検査手段とこの第２検査手段のパワーをセーブしておくパワーセーブ手段とを有する第２眼科装置とを少なくとも備え、第１眼科装置による検査が終了した後第２眼科装置によって検査を行う検査システムにおいて、
第２眼科装置がパワーセーブ手段によってパワーセーブされている最中に、第１眼科装置による検査が終了したとき、第２眼科装置のパワーセーブ手段によるパワーセーブが解除されることを特徴とする検査システム。
【請求項２】
被検眼を検査する第１検査手段を有する第１眼科装置と、前記被検眼を検査する第２検査手段とこの第２検査手段のパワーをセーブしておくパワーセーブ手段とを有する第２眼科装置とを少なくとも備え、第１眼科装置による検査が終了した後第２眼科装置によって検査を行う検査システムにおいて、
第１眼科装置の動作を検知する動作検出手段を設け、
この動作検出手段が第１眼科装置の動作を検出したとき、第２眼科装置がパワーセーブ手段によってパワーセーブされている場合、そのパワーセーブ手段のパワーセーブを解除することを特徴とする検査システム。
【請求項３】
被検眼を検査する第１検査手段を有する第１眼科装置と、前記被検眼を検査する第２検査手段とこの第２検査手段のパワーをセーブしておくパワーセーブ手段とを有する第２眼科装置とを少なくとも備え、第１眼科装置による検査が終了した後第２眼科装置によって検査を行う検査システムにおいて、
検査のために第１眼科装置の前に移動してきた被検者を検知する人検知センサを設け、
この人検知センサが人を検知したとき、第２眼科装置がパワーセーブ手段によってパワーセーブされている場合、そのパワーセーブ手段のパワーセーブを解除することを特徴とする検査システム。
【請求項４】
前記第１眼科装置がオートレフラクトメータであり、第２眼科装置が眼圧計であることを特徴とする請求項１ないし請求項３のいずれか１つに記載の検査システム。
【発明の詳細な説明】
【０００１】
【発明の属する技術分野】
この発明は、第１検査装置と第２検査装置とを少なくとも備えた検査システムに関する。
【０００２】
【従来の技術】
従来から、一般的な検査システムとして、最初にレフラクトメータによる屈折力を測定し、この後に非接触眼圧計によって眼圧の測定を行うことが知られている。
【０００３】
このような検査システムで被検眼の測定を行う場合には、レフラクトメータと眼圧計とを同じ診察室に配置するのが一般的である。また、眼圧計などにはパワーセーブ機能が設けられている。
【０００４】
【発明が解決しようとする課題】
ところで、被検者は、レフラクトメータの測定後に非接触眼圧計の前へ移動するが、非接触眼圧計がパワーセーブされている場合、そのパワーセーブを解除しなければならず、その解除してから測定が行えるまでに一定の時間を要する。このため、被検者が非接触眼圧計の前に移動してからパワーセーブを解除しても直ちに測定を開始することができず、被検者は装置が起動するまで待たなければならなかった。また、パワーセーブをいちいち手動操作で解除しなければならず、面倒であるという問題もあった。
【０００５】
この発明は、上記事情に鑑みてなされたものであり、その目的は、パワーセーブ中であっても被検者が待つ必要のなく、しかも、手動操作でパワーセーブを解除する必要のない検査システムを提供することにある。
【０００６】
【課題を解決するための手段】
上記目的を達成するため、請求項１の発明では、被検眼を検査する第１検査手段を有する第１眼科装置と、前記被検眼を検査する第２検査手段とこの第２検査手段のパワーをセーブしておくパワーセーブ手段とを有する第２眼科装置とを少なくとも備え、第１眼科装置による検査が終了した後第２眼科装置によって検査を行う検査システムにおいて、
第２眼科装置がパワーセーブ手段によってパワーセーブされている最中に、第１眼科装置による検査が終了したとき、第２眼科装置のパワーセーブ手段によるパワーセーブが解除されることを特徴とする。
【０００７】
請求項２の発明は、被検眼を検査する第１検査手段を有する第１眼科装置と、前記被検眼を検査する第２検査手段とこの第２検査手段のパワーをセーブしておくパワーセーブ手段とを有する第２眼科装置とを少なくとも備え、第１眼科装置による検査が終了した後第２眼科装置によって検査を行う検査システムにおいて、
第１眼科装置の動作を検知する動作検出手段を設け、
この動作検出手段が第１眼科装置の動作を検出したとき、第２眼科装置がパワーセーブ手段によってパワーセーブされている場合、そのパワーセーブ手段のパワーセーブを解除することを特徴とする。
【０００８】
請求項３の発明は、被検眼を検査する第１検査手段を有する第１眼科装置と、前記被検眼を検査する第２検査手段とこの第２検査手段のパワーをセーブしておくパワーセーブ手段とを有する第２眼科装置とを少なくとも備え、第１眼科装置による検査が終了した後第２眼科装置によって検査を行う検査システムにおいて、
検査のために第１眼科装置の前に移動してきた被検者を検知する人検知センサを設け、
この人検知センサが人を検知したとき、第２眼科装置がパワーセーブ手段によってパワーセーブされている場合、そのパワーセーブ手段のパワーセーブを解除することを特徴とする。
【０００９】
請求項４の発明は、前記第１眼科装置がオートレフラクトメータであり、第２眼科装置が眼圧計であることを特徴とする。
【００１１】
【実施形態】
以下、この発明に係わる検査システムの実施の形態を図面に基づいて説明する。
［第１実施形態］
図１は眼科用の検査システムの構成を示したものである。図１において、１０は屈折力を測定するオートレフラクトメータ（第１検査装置：眼科装置）、３０は眼圧を測定する非接触式眼圧計（第２検査装置：眼科装置）であり、これらオートレフラクトメータ１０および非接触式眼圧計３０は同じ診察室２５に配置されている。また、オートレフラクトメータ１０および非接触式眼圧計３０はサーバ２６に接続され、サーバ２６は複数の端末２７に接続されている。各端末２７は被検者の測定データを必要とする他の病院等に設置されたパソコン等である。
【００１２】
サーバ２６は、オートレフラクトメータ１０から送信された測定データを受信すると測定終了を示す測定終了信号を非接触眼圧計３０に送信するようになっている。
【００１３】
オートレフラクトメータ１０は、被検眼の屈折度を測定する屈折力測定手段１１と、この屈折力測定手段１１によって測定された屈折度等やその他の情報を表示するモニター１２と、測定を行なわせるための測定スイッチ１３と、各操作を行うための操作キー１４と、屈折力測定手段１１によって測定した屈折度等を送信する送受信手段１５と、パワーセーブスイッチ１６と、屈折力測定手段１１,モニター１２,送受信手段１５等を制御する制御装置２０等とを備えている。
【００１４】
制御装置２０は、パワーセーブスイッチ１６がオンされている場合、所定時間経過しても測定が行われないとき自動的に屈折力測定手段１１,モニター１２,送信手段１５等のパワーをセーブし、パワーセーブスイッチ１６をオフにするとそのパワーセーブを解除するようになっている。
【００１５】
非接触式眼圧計３０は、被検眼の眼圧を測定する眼圧測定手段３１と、この眼圧測定手段３１によって測定された眼圧等やその他の情報を表示するモニター３２と、測定を行なわせるための測定スイッチ３３と、各操作を行うための操作キー３４と、眼圧測定手段３１によって測定した眼圧等を送信する送信手段３５と、
パワーセーブスイッチ４１と、眼圧測定手段３１,モニター３２,送信手段３５等を制御する制御装置４０等とを備えている。
【００１６】
制御装置４０は、パワーセーブスイッチ４１がオンされている場合、所定時間経過しても測定が行われないとき自動的に眼圧測定手段３１,モニター３２,送信手段３５等のパワーをセーブし、そのパワーセーブスイッチ４１をオフにするとそのパワーセーブを解除するようになっている。また、制御装置４５は、パワーセーブ中に送受信手段３５がサーバ２６から送信された測定終了信号を受信すると、そのパワーセーブを解除するようになっている。
【００１７】
次に、上記第１実施形態の検査システムの動作について説明する。
【００１８】
先ず、測定に先立ってオートレフラクトメータ１０と被検眼とのアライメントを行い、アライメント完了後に測定スイッチを操作すると、オートレフラクトメータ１０の制御装置２０が屈折度測定手段１１を制御して被検者の屈折度の測定を行う。測定した屈折度などはモニタ１２に表示される。そして、屈折度である測定データにＩＤコード等が付加され、操作キー１４を操作するとＩＤコードを付加した測定データが送信手段１５によってサーバ２６へ送信される。測定データがサーバ２６へ送信されると、サーバ２６は測定終了号を出力する。
【００１９】
非接触式眼圧計３０は、送受信手段３５がサーバ２６からの測定終了号を受信すると、パワーセーブ中であれば眼圧測定手段３１,モニター３２,送信手段３５等のパワーセーブを解除する。この解除により、被検者がオートレフラクトメータ１０から非接触式眼圧計３０へ移動する間に、非接触式眼圧計３０は立ち上がることになり、被検者は待たずに非接触式眼圧計３０によって眼圧を測定することができることになる。
【００２０】
非接触式眼圧計３０は、従来と同様に、アライメントを行った後測定スイッチ３３を押すと、制御装置４０が眼圧測定手段３１を制御して被検者の眼圧の測定を行う。測定された眼圧値はモニタ３２に表示され、そして、眼圧値である測定データにＩＤコード等が付加され、操作キー３４を操作するとＩＤコードを付加した測定データが送受信手段３５によってサーバ２６へ送信される。
［第２実施形態］
図２は第２実施形態の眼科用の検査システムの構成を示したものである。この第２実施形態では、診察室２８にオートレフラクトメータ１０を配置し、別な診察室（暗室）２９に眼底カメラ（第２検査装置）５０と視野計（第２検査装置）６０とを配置したものである。
【００２１】
眼底カメラ５０は、眼底を観察・撮影する撮影光学系手段５１と、この撮影光学系手段５１によって撮影された眼底像を記憶するメモリ５２と、撮影スイッチ５３と、各操作を行うための操作キー５４と、メモリ５２に記憶された眼底像や撮影光学系手段５１によって観察される眼底像などを表示するモニタ５６と、メモリ５２に記憶された眼底像を送信する送受信手段５５と、パワーセーブスイッチ５７と、撮影光学系手段５１,モニター５６,送受信手段５５等を制御する制御装置５８等とを備えている。
【００２２】
制御装置５８は、パワーセーブスイッチ５７がオンされている場合、所定時間経過しても観察・撮影が行われないとき自動的に撮影光学系手段５１,モニタ５６,送受信手段５５等のパワーをセーブし、パワーセーブスイッチ５７をオフにするとそのパワーセーブを解除するようになっている。
【００２３】
視野計６０は、視野を測定する視野測定手段６１と、視野測定スイッチ６２と、視野測定手段６１によって測定された視野データを記憶するメモリ６３と、各操作を行うための操作キー６４と、メモリ６３に記憶された視野データを送信する送受信手段６５と、パワーセーブスイッチ６６と、視野測定手段６１,送受信手段６５等を制御する制御装置６７等とを備えている。
【００２４】
制御装置６７は、パワーセーブスイッチ６６がオンされている場合、所定時間経過しても視野測定が行われないとき自動的に視野測定手段６１,送受信手段６５等のパワーをセーブし、パワーセーブスイッチ６６をオフにするとそのパワーセーブを解除するようになっている。
【００２５】
次に、第２実施形態の検査システムの動作について説明する。
【００２６】
診察室２８のオートレフラクトメータ１０によって被検者の屈折度の測定が行なわれ、この測定した測定データにＩＤコード等が付加されて送受信手段１５からサーバ２６へ送信される。サーバ２６はオートレフラクトメータ１０からの測定データを受信すると測定終了号を出力する。
【００２７】
別な診察室２９にある眼底カメラ５０は、送受信手段５５がサーバ２６からの測定終了号を受信すると、パワーセーブ中であれば撮影光学系手段５１,モニター５６,送受信手段５５等のパワーセーブを解除する。この解除により、被検者が診察室２８から別の診察室２９へ移動する間に、眼底カメラ５０は立ち上がることになり、被検者は待たずに眼底カメラ５０によって眼底を観察・撮影することができることになる。
【００２８】
また、眼底カメラ５０の立ち上がりにより、診察室２９にいる検者は被検者が診察室２８からくることが事前に分かることになる。この場合、アラーム（告知手段）を設け、測定終了信号によって眼底カメラ５０のパワーセーブの解除とともにそのアラームを鳴らしてもよい。また、別なアラームをナースステーション等に設け、測定終了信号によってそのアラームを鳴らすことにより、ナースステーションに居る看護婦に診察室２９に被検者がくることを知らせるようにすれば、看護婦は診察室２９に待機していなくてもよいので、別な仕事をすることができることになる。
【００２９】
さらに、看護婦にレシーバを持たせ、サーバ２６が無線で測定終了信号を送信するようにしておき、レシーバがその測定終了信号を受信したらアラームを鳴らして診察室２９に被検者がくることを知らせるようにしてもよい。
【００３０】
視野計６０は、パワーセーブ中であれば眼底カメラ５０と同様にして立ち上がり、被検者は待たずに視野計６０によって視野測定を行うことができることになる。
【００３１】
また、視野計６０は、眼底カメラ５０による眼底の観察・撮影が終了してから第１実施形態と同様にして立ち上がるようにしてもよい。また、眼底カメラ５０と視野計６０の立ち上がる順序を逆にしてもよい。
［第３実施形態］
この第３実施形態ではオートレフラクトメータ１０が動作する音を検知して非接触式眼圧計３０のパワーセーブを解除するようにしたものである。図３において、７０はオートレフラクトメータ１０の動作音を電気信号に変換するマイク、７１はオートレフラクトメータ１０が動作した際の動作音を記憶したメモリである。
【００３２】
制御装置４０は、マイク７０から出力される信号とメモリ７１に記憶されている動作音とを比較してオートレフラクトメータ１０が動作したか否かを判断し、動作した判断した場合、パワーセーブ中であれば眼圧測定手段３１,モニター３２,送信手段３５等のパワーセーブを解除するものである。制御装置４０は第１実施形態と同様に動作する。
【００３３】
また、データをプリントアウトするプリンタ(図示せず)の作動音をマイク７０が検知したとき、オートレフラクトメータ１０の検査が終了したと判断して、パワーセーブ中の眼圧測定手段３１,モニター３２,送信手段３５等のパワーセーブを解除するようにしてもよい。これは、測定終了後にプリンタによってデータをプリントアウトするものであるから、これを利用するものである。
［第４実施形態］
図４は第４実施形態を示したものであり、この第４実施形態では、マイクの７０の替わりに赤外センサ（人検知センサ）８０をオートレフラクトメータ１０の本体に設け、オートレフラクトメータ１０の前に測定のために移動してきた被検者を検知するようしたものである。この赤外センサ８０が被検者を検知したとき、非接触式眼圧計３０がパワーセーブ中であれば眼圧測定手段３１,モニター３２,送信手段３５等のパワーセーブを制御装置５０が解除するものである。
【００３４】
この場合、赤外センサ８０が被検者を検知したとき、この検知したときから所定時間遅らせて非接触式眼圧計３０のパワーセーブを解除するようにしてもよい。これは、検査に時間がかかる場合、この検査時間を考慮するものである。
【００３５】
赤外センサ８０の替わりにオートレフラクトメータ１０の椅子にマイクロスイッチを設け、被検者が椅子に腰掛けたときマイクロスイッチがオンするようにして、被検者を検知するようにしてもよい。
【００３６】
第３,第４実施形態のいずれも非接触式眼圧計３０がパワーセーブ中であるとき、非接触式眼圧計３０のパワーセーブを解除するものについて説明したが、眼底カメラやスリットランプであっても良いことは勿論である。また、オートレフラクトメータ１０も他の眼科装置であってもよい。また、第３,第４実施形態のものを第２実施形態に適用してもよい。
【００３７】
また、上記いずれの実施形態も眼科用の検査システムについて説明したが、他の検査システムに適用することも可能である。例えば、一般の健康診断に使用されるＣＴスキャンやレントゲン等にも適用してもよい。
【００３８】
【発明の効果】
この発明によれば、パワーセーブ中であっても被検者が待つ必要がなく、しかも手動操作でパワーセーブを解除する必要がない。
【図面の簡単な説明】
【図１】第１実施形態の検査システムの構成を示したブロック図である。
【図２】第２実施形態の検査システムの構成を示したブロック図である。
【図３】第３実施形態の検査システムの構成を示したブロックである。
【図４】第４実施形態の検査システムの構成を示したブロック図である。
【符号の説明】
１０      オートレフラクトメータ（第１検査装置）
１１      屈折力測定手段（第１検査手段）
３０      眼圧計（第２検査装置）
３１      眼圧測定手段
３２      モニタ
４０      制御装置
【図１】
0004429445.tif 000002
【図２】
0004429445.tif 000003
【図３】
0004429445.tif 000004
【図４】
0004429445.tif 000005